(57)【特許請求の範囲】
【請求項１】
スクリーンに映像を投影する投影装置を天井面に取り付けるための天吊りブラケットであって、
１）前記天井面に取り付けられる第１のプレートと、前記投影装置に取り付けられ前記第１のプレートに対して結合される第２のプレートと、を有し、
２）前記第１のプレートは、前記天井面に下向きに植設された複数本の吊りボルトがそれぞれ入り込む複数の弧状長穴を有し前記弧状長穴の長穴範囲において前記天井面に対して旋回させることが可能であると共に前記吊りボルトに対するナットの締め込みにより前記天井面に対して定着され、下面には、スクリーン側を前側として前後及び左右に位置をずらして間隔をあけてそれぞれ下向きに植設された３本以上複数本のボルトを有し、前側又は後側又は左側又は右側に蝶番部を介して揺動可能に設けられたリングを有し、
３）前記第２のプレートは、前記３本以上複数本のボルトにそれぞれ対応する張り出し部と前記リングに対応して係合するフック部とを有し、
４）前記張り出し部にはそれぞれに対応する前記ボルトが入り込む穴部が形成されており、前記３本以上複数本のボルトのうち前記リングが設けられている側とは反対側に位置するボルトに対応する前記張り出し部の穴部は開放口を有するスリット穴部にされており、
５）前記３本以上複数本のボルトにはそれぞれ螺合されて対応する前記張り出し部を挟み込むための２個ずつのナットを有する
ことを特徴とする天吊りブラケット。
【請求項２】
前記第１のプレートの下面には、前後方向のセンターラインが形成されていることを特徴とする請求項１に記載の天吊りブラケット。
【請求項３】
前記第２のプレートの下面には、前後方向のセンターラインが形成されていることを特徴とする請求項１に記載の天吊りブラケット。
【請求項４】
前記第１のプレートの前記前側には、前記天井面に設けられた配線口に対応する切欠き凹部が設けられていることを特徴とする請求項１乃至請求項３のいずれか一項に記載の天吊りブラケット。
【請求項５】
前記切欠き凹部に取り付けられて前記配線口を隠蔽するための配線カバーを有することを特徴とする請求項４に記載の天吊りブラケット。
【請求項６】
前記切欠き凹部の近傍部には配線ケーブルを束ねる結束具を係留するための締結部が設けられていることを特徴とする請求項４又は請求項５に記載の天吊りブラケット。
【発明の詳細な説明】
【技術分野】
【０００１】
本発明は、投影装置を天井面に取り付けるための天吊りブラケット（天吊り金具、プロジェクター用サスペンションサポート）に関する。投影装置には、例えば、ビデオプロジェクター、映写機、幻灯機等を挙げることができる。
【背景技術】
【０００２】
本出願人は投影装置を天井面に取り付けるのに好適な架台或いは天吊り金具を先に提案している（特許文献１、２）。
【先行技術文献】
【特許文献】
【０００３】
【特許文献１】特許第３６６９９０８号公報
【特許文献２】特許第３７３９８４６号公報
【発明の概要】
【発明が解決しようとする課題】
【０００４】
本発明は先の提案のものを更に発展させたものである。本発明の目的は、重量物である投影装置の天井面に対する取り付けを容易に行える天吊りブラケットを提供することにある。他の目的は投影装置のスクリーンに対する投射位置調整を容易に行える天吊りブラケットを提供することにある。更に他の目的は天井面に対する取り付けの際の墨出し（位置決定）が容易に行える天吊りブラケットを提供することにある。
【課題を解決するための手段】
【０００５】
上記の目的を達成するための本発明に係る天吊りブラケットの代表的な構成は、
スクリーンに映像を投影する投影装置を天井面に取り付けるための天吊りブラケットであって、
１）前記天井面に取り付けられる第１のプレートと、前記投影装置に取り付けられ前記第１のプレートに対して結合される第２のプレートと、を有し、
２）前記第１のプレートは、前記天井面に下向きに植設された複数本の吊りボルトがそれぞれ入り込む複数の弧状長穴を有し前記弧状長穴の長穴範囲において前記天井面に対して旋回させることが可能であると共に前記吊りボルトに対するナットの締め込みにより前記天井面に対して定着され、下面には、スクリーン側を前側として互いに前後及び左右に位置をずらして間隔をあけてそれぞれ下向きに植設された３本以上複数本のボルトを有し、前側又は後側又は左側又は右側に蝶番部を介して揺動可能に設けられたリングを有し、
３）前記第２のプレートは、前記３本以上複数本のボルトにそれぞれ対応する張り出し部と前記リングに対応して係合するフック部とを有し、
４）前記張り出し部にはそれぞれに対応する前記ボルトが入り込む穴部が形成されており、前記３本以上複数本のボルトのうち前記リングが設けられている側とは反対側に位置するボルトに対応する前記張り出し部の穴部は開放口を有するスリット穴部にされており、
５）前記３本以上複数本のボルトにはそれぞれ螺合されて対応する前記張り出し部を挟み込むための２個ずつのナットを有する
ことを特徴とする。
【発明の効果】
【０００６】
本発明によれば、重量物である投影装置の天井面に対する取り付けを容易に行える。投影装置のスクリーンに対する投射位置調整を容易に行える。天井面に対する取り付けの際の墨出しが容易に行える。
【図面の簡単な説明】
【０００７】
【図１】本発明に従う天吊りブラケットを用いて投影装置を天井面に取り付けた状態を示す模式図
【図２】天井面に対してブラケットを介して取り付けられている状態の投影装置の正面図
【図３】同投影装置の右側面図
【図４】ブラケットの全体の外観斜視図
【図５】ブラケットの全体の分解斜視図
【図６】第１のプレートが天井面に対して４点固定される場合の説明図
【図７】第１のプレートが天井面に対して３点固定される場合の説明図
【図８】第２のプレートの投影装置に対する取り付け要領の説明図
【図９】第１のプレートに対する第２のプレートの取り付け要領の説明図（その１）
【図１０】第１のプレートに対する第２のプレートの取り付け要領の説明図（その２）
【図１１】第１のプレートに対する第２のプレートの取り付け要領の説明図（その３）
【図１２】第１のプレートに対する第２のプレートの取り付け要領の説明図（その４）
【図１３】第１のプレートに対する第２のプレートの取り付け要領の説明図（その５）
【図１４】第１のプレートに対する第２のプレートの取り付け要領の説明図（その６）
【図１５】第１のプレートに対する第２のプレートの取り付け要領の説明図（その７）
【図１６】第１のプレートに対する第２のプレートの取り付け要領の説明図（その８）
【図１７】配線処理の説明図
【図１８】（ａ）は投影装置の回転調整の説明図、（ｂ）は傾き調整の説明図、（ｃ）は仰角調整の説明図
【図１９】実施例２の説明図
【図２０】実施例５の説明図
【発明を実施するための形態】
【０００８】
［実施例１］
図１は本発明に従う天吊りブラケットＡを用いて投影装置ＰＪを天井面（天井下面）Ｂに取り付けた状態を示す模式図である。Ｓは壁面Ｃに設置された投影スクリーンである。投影装置ＰＪはスクリーンＳに対する映像投射位置が適切となるように天井面Ｂに墨出し（位置決定）されて配設されたブラケットＡを介して取り付けられる。そして、ブラケットＡにより投影装置ＰＪのスクリーンＳに対する投射位置の微調整がなされる。調整項目は投影装置ＰＪの回転（Ｙａｗ）調整、傾き（Ｒｏｌｌ）調整、仰角（Ｐｉｔｃｈ）調整である。ブラケットＡはこの３つの調整ができるように構成されている。
【０００９】
図２は天井面Ｂに対してブラケットＡを介して取り付けられている状態の投影装置ＰＪの正面図、図３は同投影装置ＰＪの右側面図である。
【００１０】
ここで、投影装置ＰＪに関して、正面とは投影レンズ１が配設されている側の面である。背面とはそれとは反対側の面である。左側又は右側とは投影装置ＰＪを正面から見て左側又は右側である。上面と下面は重力方向において上側の面と下側の面である。また、ブラケットＡ又はその構成部材に関して、前側とはスクリーン側である。後側とはスクリーン側（前側）とは反対側である。左側又は右側とは前側から見て左側又は右側である。上面と下面は重力方向において上側の面と下側の面である。
【００１１】
図４はブラケットＡの全体の外観斜視図、図５は分解斜視図である。ブラケットＡは、天井面Ｂに取り付けられる第１のプレート（天井マウントプレート、シーリングプレート）１０を有する。また、投影装置ＰＪの上面（装置ハウジング２の上面）に取り付けられ第１のプレート１０に対して結合される第２のプレート（ＰＪマウントプレート、ＰＪプレート）２０と、を有する。
【００１２】
（１）第１のプレート１０
本実施例においてプレート１０は鉄板（鈑金）の打ち抜き加工品である。なお、プレート１０の材質は適宜であり、強化プラスチックを用いた樹脂成形品などにすることも可能である。プレート１０の下面側には図６のようにプレート補強のために鉄板を曲げ加工して構成した枠部材１１が溶接されて取り付けられている。
【００１３】
プレート１０の中央部には中央穴１２が設けられている。プレート１０は、天井面Ｂに下向きに植設された複数本の吊りボルト５１がそれぞれ入り込む複数の弧状長穴１３・１４を有する。そして、プレート１０は弧状長穴１３・１４の長穴範囲において天井面Ｂに対して旋回させることが可能であると共にボルト５１に対するナット５４の締め込みにより天井面Ｂに対して定着される。
【００１４】
本実施例においては、プレート１０の前側左右部及び後側左右部の４箇所に上記の中央穴１２を中心とする４つの同心弧状長穴１３が開けられている。また、前側左部の弧状長穴１３と前側右部の弧状長穴１３の外側には上記中央穴１２を中心とする２つの同心弧状長穴１４が開けられている。
【００１５】
プレート１０の下面には後側左右部の２箇所に蝶番部１６を介して２つの角型リング１５が揺動可能に配設されている。また、プレート１０の下面には前側左右部及び後側左右部の４箇所に４本のボルト１７が下向きに植設されている。
【００１６】
プレート１０の天井面Ｂに対する取り付けは次のようになされる。本実施例においては、「４点固定」の場合と「３点固定」の場合の２つの場合を選択することができる。
【００１７】
１）４点固定の場合
図６は４点固定の場合の説明図である。天井面Ｂに対して、プレート１０側の４つの弧状長穴１３に対応する４本の吊りボルト（アンカーボルト）５１を配設する。ボルト５１の天井面Ｂに対する配設位置は予めの墨出し作業で決定される。例えば、スクリーンＳに対する投影装置ＰＪの天井面Ｂにおける適切な配設位置が墨出し器（レーザーポインタ：不図示）を用いて割り出され、プレート１０を取り付けるための天井面Ｂにおけるボルト５１の配設位置が決定される。その決定された天井面位置に上記４本のボルト５１が植設される。
【００１８】
プレート１０を、前側をスクリーンＳ側にし、上面を上向きにして、天井面Ｂの上記４本のボルト５１に対してそれぞれ対応する弧状長穴１３を通して、天井面Ｂにあてがう。そして、各ボルト５１に対して、平ワッシャ５２、スプリングワッシャ５３をこの順で通し、次にナット５４を螺合して抜けない程度に緩く取り付ける。プレート１０の下面には中央穴１２の中心を通るプレート前後方向のセンターラインＬが予め設けられている。
【００１９】
センターラインＬは本実施例においては図６の部分的拡大図のように鈑金にスリット（ライン）加工して付与している。なお、センターラインＬの形成方法はこれに限られず、塗料により描画して付与したり、ラインＬを描いたテープを貼着して付与したりすることもできる。
【００２０】
そこで、墨出し器により天井面Ｂに赤色レーザにて描かれた墨出しセンターラインに対してラインＬが一致するようにプレート１０を弧状長穴１３の長穴範囲で旋回する操作をする。これにより、ラインＬを目安にプレート１０の天井面Ｂに対する回転位置に関する墨出しがなされる。この状態において４つの各ナット５４を締め込む。これにより、プレート１０が天井面Ｂに対して回転位置に関して墨出しされた状態で４点固定されて取り付けられる。即ち、プレート１０にセンターラインＬが設けられているのでこのラインＬを目安にしてブラケットＡを天井面Ｂに対する取り付けの際の墨出しが容易に行える。
【００２１】
プレート１０の前側左右部の２本のボルト１７には、それぞれ、フランジナット６１を螺合してねじ込む。そして、平ワッシャ６２、スプリングワッシャ６３をこの順で通し、次にナット６４を螺合して抜けない程度に緩く取り付ける。後側左右部の２本のボルト１７には、それぞれ、フランジナット６１を螺合してねじ込む。
【００２２】
ここで、前側左右部の２本のボルト１７に対しては、前もって、フランジナット６１を螺合してねじ込み、更に、平ワッシャ６２、スプリングワッシャ６３をこの順で通し、次にナット６４を螺合して抜けない程度に緩く取り付けておくこともできる。また、後側左右部の２本のボルト１７に対しては、前もって、フランジナット６１のみを取り付けておくこともできる。
【００２３】
２）３点固定の場合
図７は３点固定の場合の説明図である。天井面Ｂに対して、プレート１０の中央穴１２と、プレート１０の前側左右部の弧状長穴１４と、の３つの穴に対応する３本の吊りボルト５１を配設する。なお、中央穴１２に対応のボルト５１は図には省略されている。各ボルト５１の配設位置は上記１）の場合と同様に墨出し作業で決定され、決定した天井面位置にボルト５１を植設する。
【００２４】
プレート１０を、前側をスクリーンＳ側にし、上面を上向きにして、上記３本のボルト５１に対してそれぞれ対応する穴１２、１４を通して、天井面Ｂにあてがう。そして、各ボルト５１に対して、平ワッシャ５２、スプリングワッシャ５３をこの順で通し、次にナット５４を螺合して抜けない程度に緩く取り付ける。そして、１）の場合と同様に墨出し器を用い、センターラインＬを目安にプレート１０の天井面Ｂに対する回転位置に関する墨出しを行なって３つの各ナット５４を締め込む。これにより、プレート１０が天井面Ｂに対して回転位置に関して墨出しされた状態で３点固定されて取り付けられる。
【００２５】
４本のボルト１７に対する、フランジナット６１や、平ワッシャ６２、スプリングワッシャ６３、ナット６４の取り付けは１）の場合と同様である。
【００２６】
（２）第２のプレート２０
本実施例においてプレート２０も鉄板の打ち抜き加工品である。なお、プレート２０の材質も適宜であり、強化プラスチックを用いた樹脂成形品などにすることも可能である。そして、プレート２０の上面側にはプレート補強のために鉄板を曲げ加工して構成した枠部材２１が溶接されて取り付けられている。プレート２０の前側左右部及び後側左右部の４箇所に４つのネジ穴２２が開けられている。
【００２７】
プレート２０の前側左右部には、それぞれ、前側を開放口２３ａ（図５、図８）として開放したスリット穴部２３を具備させた張り出し部（差し込みタグ部（舌片部））２４が配設されている。後側左右部には、それぞれ、前後方向の長穴部２６を具備させた張り出し部２４が配設されている。また、後側左右部には、それぞれ、プレート１０側の前記２つの角型リング１５に対応するフック部２５が配設されている。
【００２８】
プレート２０は、図８のように、前側を投影装置ＰＪの前側に対応する側にし、下面を投影装置ＰＪの上面の所定の位置にあてがい、各ネジ穴２２にネジ６６を差し込み投影装置上面に設けられている雌ネジ穴３に十分にねじ込む。これにより、プレート２０が投影装置ＰＪの上面に対して固定して配設される。
【００２９】
（３）第１のプレート１０に対する第２のプレートの２０の取り付け（結合）
投影装置ＰＪの上面に取り付けられているプレート２０は天井面Ｂに取り付けられているプレート１０に対して取り付けられる。これにより、投影装置ＰＪがプレート２０とプレート１０即ちブラケットＡを介して天井面Ｂに対して取り付けられた状態となる。プレート１０に対するプレート２０の取り付け要領は次のとおりである。
【００３０】
１）上面にプレート２０が取り付けられている投影装置ＰＪを天井面Ｂに取り付けられているプレート１０に向かって人力により或いは持ち上げ装置を用いて持ち上げて、プレート１０の前側と後側に対してプレート２０の前側と後側を対応させる。
【００３１】
２）そして、図９・図１０のように、プレート２０の前側左右部の張り出し部２４を、それぞれ、プレート１０の前側左右部の２本のボルト１７のフランジナット６１と平ワッシャ６２の間に差し込む。そして、前側を開放口２３ａとして開放したスリット穴部２３をボルト１７に係合させる。これにより、プレート２０の前側左右部の張り出し部２４がプレート１０の前側左右部のボルト１７に螺合したナット６４の上にスプリングワッシャ６３、平ワッシャ６２を介して載って支持される。即ち、プレート２０の前側がプレート１０の前側に仮支持された状態になる。
【００３２】
３）図９・図１０の状態において、プレート２０の後側はプレート１０の後側から下方に離間していて非結合状態であり、プレート１０の角型リング１５は自重により垂下している。なお、図９において、プレート１０が取り付けられている天井面Ｂは便宜上省略してある。また、図１０においてはプレート１０が取り付けられている天井面Ｂとプレート２０が取り付けられている投影装置ＰＪは便宜上省略してある。
【００３３】
作業者は、図９・図１０の状態において、投影装置ＰＪの後側を押し上げ、プレート２０側の後側左右部の張り出し部２４の長穴部２６をそれぞれプレート１０側の対応するボルト１７の下端部に対応させて係合させる。穴部２６は前後方向に少しだけ長くした穴であり、前側左右部の張り出し部２４のスリット穴部２３の長さよりも短いものとしてある。
【００３４】
そして、引き続き投影装置ＰＪの後側を押し上げる。そうすると、プレート２０の後側左右部のフック部２５の上面がプレート１０の後側左右部の角型リング１５の下端部に当接する。そして、投影装置ＰＪの後側が更に押し上げられることで、フック部２５の上面の内側傾斜面が案内カム面の作用をしてリング１５が図１１のように蝶番部１６を中心に自重に抗してプレート１０の内側方向に回動していく。
【００３５】
そして、投影装置ＰＪの後側が十分に押し上げられると、フック部２５の引っ掛け部がリング１５の内側に位置して蝶番部１６を中心にフック部２５の内側に入るように自重で回動する（図１２）。作業者は、リング１５がフック部２５の内側に回動して位置したことを確認する。
【００３６】
この状態において、作業者が投影装置ＰＪから手を離すと、投影装置ＰＪの後側が少し下降してプレート２０のフック部２５がプレート１０側のリング１５に引っ掛かる。即ち、プレート２０の後側もプレート１０の後側にフック部２５とリング１５を介して仮支持された状態になる。
【００３７】
この状態において、プレート１０の後側左右部のボルト１７はプレート２０の後側左右部に配設の張り出し部２４の長穴部２６を挿通して張り出し部２４の下面側に突き出た状態にとなる。このボルト１７と長穴部２６とが係合していることにより、プレート１０に対するプレート２０の前後左右方向へのずれ動きが規制されて、プレート１０の前側に対するプレート２０の前側の仮支持状態が安定に保持される。
【００３８】
即ち、プレート２０の前側左右部の張り出し部２４のスリット穴部２３がプレート１０の前側左右部の対応するボルト１７に係合していてボルト１７に螺合したナット６４の上にスプリングワッシャ６３、平ワッシャ６２を介して載って仮支持されている状態が安定に保持される。
【００３９】
４）かくして、プレート２０は、図１３・図１４のように、前側については前側左右部の張り出し部２４がプレート１０の前側左右部のボルト１７に螺合したナット６４の上にスプリングワッシャ６３、平ワッシャ６２を介して載って安定に仮支持される。後側については後側左右部のフック部２５がプレート１０の後側左右部のリング１５に引っ掛かって安定に仮支持される。
【００４０】
これにより、プレート２０はプレート１０に対して安定に仮支持状態になり、投影装置ＰＪは脱落が防止された状態に保持される。従って、この状態においては、作業者が投影装置ＰＪから手を離しても何ら支障はなく、作業者は投影装置ＰＪの重量負担から開放される。なお、図１１乃至図１３において、プレート１０が取り付けられている天井面Ｂとプレート２０が取り付けられている投影装置ＰＪは便宜上省略してある。
【００４１】
ここで、フック部２５をリング１５に引っ掛けた際に、作業者が投影装置ＰＪから手を離しても支障がないように、フック部２５とリング１５に投影装置脱落防止の位置関係、フック形状を持たせている。即ち、作業者が意図的にプレート１０側のリング１５をプレート２０のフック部２５から外すような操作をしない限りは、フック部２５とリング１５が分離しない関係構成にしている。これにより投影装置脱落防止機能を十分に具備させている。
【００４２】
５）図１３・図１４のように、プレート２０がプレート１０に仮支持されている状態において、プレート１０の後側左右部のボルト１７はプレート２０の後側左右部に配設の張り出し部２４の長穴２６を挿通して張り出し部２４の下面側に突き出ている。このボルト１７に対して、平ワッシャ６２、スプリングワッシャ６３をこの順で通し、次にナット６４を螺合して取り付ける。そして、プレート１０の４本の各ボルト１７に対するナット６４の締め込みを行なう。
【００４３】
これにより、プレート２０の前側左右部及び後側左右部の４つの張り出し部２４がそれぞれのボルト１７のフランジナット６１と平ワッシャ６２との間に図１６の（ａ）ように挟み込まれて不動に保持される。即ち、上記４本のボルト１７にはそれぞれ螺合されて対応する張り出し部２４を挟み込んで保持するための２個ずつのナット６１・６４を有する。そして、ナット６４の締め込みによりプレート２０がプレート１０に対して不動に結合されて投影装置ＰＪがブラケットＡを介して安定に支持される。
【００４４】
６）上記の４つのナット６４の締め込み作業は、投影装置ＰＪが前記のように天井面Ｂに対してプレート１０、２０を介して仮支持されているので、作業者が投影装置ＰＪを支えることなく行える。即ち、作業者は重量負担から開放された状態で上記の作業が可能であり、重量物である投影装置の天井面に対する取り付けを容易に行える。そして、ナット６４の締結作業を終えたら、各ボルト１７の下端部の横穴に図１５・図１６のようにＲピン６５を取り付けてナット６４の脱落を防止する。
【００４５】
（４）配線処理
上記（３）のように投影装置ＰＪを、ブラケットＡを介して天井面Ｂに取り付け後に、投影装置ＰＪに対する電源ケーブルや各種の信号伝送用ケーブルの配線処理（接続処理）がなされる。
【００４６】
本実施例の投影装置ＰＪは図２のように前面側にコンソールパネル４が配設されており、各種のコネクタ、各種の調整用ボタン類などが配設されている。そして、各種のコネクタに対する各種ケーブルを天井面Ｂに配設した配線口Ｄ（図１５）から引き出して各種ケーブルのプラグを対応するコネクタに差し込むことで投影装置ＰＪに対する必要な配線処理をするようにしている。
【００４７】
本実施例においては、天井面Ｂに対して取り付けられるプレート１０の前側中央部に配線用切欠き凹部１８が設けられている。そして、プレート１０が天井面Ｂに対して墨出しされて取り付けられた状態において凹部１８が対応して位置する天井面部分に対して配線口Ｄを形成している（図１５）。配線口Ｄはボルト５１の配設位置の墨出し作業のときに一緒に墨出しされてその墨出し位置に形成される。
【００４８】
そして、その配線口Ｄから各種配線ケーブルＥを引き出してケーブルプラグを投影装置前面のコンソールパネル４に設けられている対応するコネクタに差し込むことで必要な配線処理をするようにしている。図１７の（ａ）はこの配線処理をした状態を示している。ただし、図１７の（ａ）〜（ｄ）は、煩雑をさけるために便宜上、配線ケーブルＥを１本だけ示している。実際には配線口Ｄからは所要の複数本のケーブルＥが引き出されてそれぞれの各ケーブルプラグが対応するコネクタに差し込まれる。
【００４９】
配線口Ｄから引き出され複数本のケーブルＥは結束バンド等の結束具Ｆを用いて束ねられる。結束具Ｆは、プレート１０の下面側で凹部１８の近傍部（横、脇）に設けられている締結部（締結スリット）１９に対して係留する。その結束バンド等を配線口Ｄから天井内に押し込むことで、投影装置前面のケーブル余剰分をしまい込む。
【００５０】
そして、図１７の（ｂ）、（ｃ）のように、凹部１８に対して樹脂製の配線カバー（化粧カバー）３０を装着して配線口Ｄを隠蔽した状態にする。これにより、配線口Ｄ部分の体裁が整えられる。凹部１８にする配線カバー３０の装着は、配線カバー３０の左右両辺３０ａをそれぞれ凹部１８の左右に具備させた前後方向の差込込み溝１８ａに挿入することでなされる。配線カバー３０は配線口Ｄから引き出されているケーブル数（ケーブルの量）に応じて挿入方向の幅が適正となるように適宜カットして使用することができる。
【００５１】
なお、図１７の（ｄ）のように配線口にコンセントプレートＧを使用する場合は、配線カバー３０は取り付けない。
【００５２】
（５）投影装置ＰＪの投射位置調整要領
上記（４）の配線処理後に、投影装置ＰＪでスクリーンＳに対して実際に映像を投影した状態において、投影状態を観察しながら必要に応じて投影装置ＰＪのスクリーンＳに対する投射位置の調整を下記の要領で行う。図１８の（ａ）は回転調整の説明図、（ｂ）は傾き調整の説明図、（ｃ）は仰角調整の説明図である。
【００５３】
（ａ）回転調整
プレート１０を天井面Ｂに締結している各ボルト５１のナット５４を緩める。この緩め操作はプレート１０とプレート２０の間にスパナ或いはレンチを差し入れることでなされる。これにより、ブラケットＡを含む投影装置ＰＪを、４点固定の場合（図６）は、４つの弧状長穴１３による長穴範囲、又は３点固定の場合（図７）は２つの弧状長穴１４による長穴範囲において、天井面Ｂに対して旋回させて投影装置ＰＪの回転調整ができる。
【００５４】
本実施例では、図１８の（ａ）ように、最大で±５°の調整代が有る。回転調整したら、各ボルト５１のナット５４をタイトに締結してプレート１０を天井面Ｂに対して固定する。
【００５５】
（ｂ）傾き調整
プレート１０の前側左部及び後側左部のボルト１７に対するフランジナット６１とナット６４の固定位置を図１６の（ａ）〜（ｃ）のように上方又は下方に変更する操作をする。また、前側右部及び後側右部のボルト１７に対するフランジナット６１とナット６４のボルト５１に対する固定位置を図１６の（ａ）〜（ｃ）のように上方又は下方に変更する操作をする。これにより、プレート１０に対するプレート２０の左右に関する傾きが変わり、投影装置ＰＪの傾き調整がなされる。本実施例では、図１８の（ｂ）ように、最大で±１．５°の調整代が有る。
【００５６】
（ｃ）仰角調整
プレート１０の前側左右部のボルト１７に対するフランジナット６１とナット６４の固定位置を図１６の（ａ）〜（ｃ）のように上方又は下方に変更する操作をする。また、後側左右部のボルト１７に対するフランジナット６１とナット６４の固定位置を図１６の（ａ）〜（ｃ）のように上方又は下方に変更する操作をする。これにより、プレート１０に対するプレート２０の前後に関する傾きが変わり、投影装置ＰＪの仰角調整がなされる。本実施例では、図１８の（ｃ）ように、最大で±１．５°の調整代が有る。
【００５７】
このようにして、投影装置ＰＪのスクリーンＳに対する投射位置調整、即ち回転調整、傾き調整、仰角調整の微調整を容易に行うことが可能である。
【００５８】
［実施例２］
天井面Ｂに対するブラケットＡの墨出しのための目安となるセンターラインＬは、実施例１のように第１のプレート１０の下面に具備させる場合に限れない。センターラインＬは第２のプレート２０の下面に具備させることもできる。本実施例はこの例である。図１９においてＬは第２のプレート２０の下面に形成したセンターラインである。このブラケットＡの天井面Ｂに対する墨出しは次の１）や２）のような要領でなされる。
【００５９】
１）第１のプレート１０に対して投影装置ＰＪを取り付けていない第２のプレート２０を仮支持状態にして取り付ける。このプレート１０＋２０のブラケットＡのプレート１０を天井面Ｂに対して前述した図６又は図７と同様の要領で取り付ける。但し、ナット５４の締め付け緩めにしてプレート１０を天井面Ｂに対して旋回操作することができる状態にしておく。
【００６０】
プレート２０の下面にはセンターラインＬが露呈している。そこで、墨出し器により天井面Ｂに赤色レーザにて描かれた墨出しセンターラインに対してラインＬが一致するようにプレート１０を旋回する操作をする。これにより、ラインＬを目安にプレート１０の天井面Ｂに対する回転位置に関する墨出しがなされる。この状態において、各ナット５４を締め込む。これにより、プレート１０が天井面Ｂに対して回転位置に関して墨出しされた状態で固定されて取り付けられる。なお、図１９はプレート１０が３点固定である場合を示している。
【００６１】
次に、プレート１０に仮支持されているプレート２０をプレート１０から外す。外したプレート２０を前述した図８と同様に投影装置ＰＪの上面に取り付ける。後は実施例１と同様に、天井面Ｂのプレート１０に対して投影装置ＰＪが取り付けられたプレート２０を結合させることにより、投影装置ＰＪが天井面Ｂに対してブラケットＡを介して取り付けられる。
【００６２】
２）第１のプレート１０だけを天井面Ｂに対して前述した図６又は図７と同様の要領で取り付ける。但し、ナット５４の締め付け緩めにして天井面Ｂに対してプレート１０を旋回操作することができる状態にしておく。このプレート１０に対して第２のプレートを仮支持させた状態で取り付ける。プレート２０の下面にはセンターラインＬが露呈している。後は１）と同様にして、プレート１０の墨出しと、投影装置ＰＪの天井面Ｂに対する取り付けがなされる。
【００６３】
［実施例３］
上記の実施例１と２のブラケットＡにおいては、プレート１０側のリング１５とそのリング１５に対応して係合するプレート２０側のフック部２５を左右に２組配設しているけれども、リング１５とフック部２５は１組だけとした構成にすることもできる。また３組以上配設した構成にすることもできる。
【００６４】
［実施例４］
第１のプレート１０のリング１５とそのリング１５に対応して係合するプレート２０のフック部２５は、それぞれプレート１０・２０のスクリーン側（前側）又は左側又は右側に配設した構成にすることもできる。この場合も、４本のボルト１７のうちリング１５が設けられている側とは反対側に位置する２本のボルト１７に対応する２つの張り出し部２４の穴部２３は開放口２３ａを有するスリット穴部にされる。
【００６５】
スリット穴部２３を具備させた張り出し部２４の開放口２３ａの位置は、張り出し部２４を対応するボルト１７のフランジナット６１と平ワッシャ６２との間に差し込んでスリット穴部２３をボルト１７に係合させることができれば、張り出し部２４の前後左右の全方位の任意の位置に設定することができる。
【００６６】
［実施例５］
第２のプレートを支持するために第１のプレート１０の下面に配設されるボルト１７の数は実施例１や２のように４本に限られない。図２０のように３本、或いは５本以上とすることもできる。即ち、第２のプレートを支持するために第１のプレート１０の下面に配設されるボルト１７は、スクリーン側を前側として前後及び左右に位置をずらして間隔をあけてそれぞれ下向きに植設された３本以上複数本のボルトにすることができる。また、リング１５は第１のプレート１０の下面の前側又は後側又は左側又は右側に蝶番部１６を介して揺動可能に設けることができる。
【００６７】
図２０の（ａ）は、プレート１０の下面の前側左右部にボルト１７を２本、後側の左右方向中央部にボルト１７を１本及びリング１５を１つ配設した形態の模式図である。
【００６８】
（ｂ）はプレート１０の下面の前側の左右方向中央部にボルト１７を１本及びリング１５を１つ後側左右部にボルト１７を２本配設した形態の模式図である。
【００６９】
（ｃ）はプレート１０の下面の左側の前後部にボルト１７を２本、右側の前後方向中央部にボルト１７を１本及びリング１５を１つ配設した形態の模式図である。
【００７０】
（ｄ）はプレート１０の下面の右側の前後部にボルト１７を２本、左側の前後方向中央部にボルト１７を１本及びリング１５を１つ配設した形態の模式図である。
【００７１】
上記（ａ）乃至（ｄ）の各場合とも、第２のプレート２０側には、上記３本のボルト１７及びリング１５に対応して、ボルト１７が入り込む穴部２３・２６を具備している張り出し部２４及びリング１５と係合するフック部２５を有する。そして、上記３本のボルト１７のうちリング１５が設けられている側とは反対側に位置するボルト１７に対応する張り出し部２４の穴部２３は実施例１の場合と同様に開放口２３ａを有するスリット穴部にされる。
【００７２】
本実施例の３本ボルトの場合も、図１８のボルト１７が４本の場合と同様に、各ボルト１７に対するフランジナット６１とナット６４のボルト５１に対する固定位置を図１６の（ａ）〜（ｃ）のように上方又は下方に変更する操作をする。これにより、プレート１０に対するプレート２０の左右に関する傾きを変えて、投影装置ＰＪの傾き調整を行うことができるし、プレート１０に対するプレート２０の前後に関する傾ききを変えて投影装置ＰＪの仰角調整を行うことができる。
【符号の説明】
【００７３】
Ｓ・・スクリーン、ＰＪ・・投影装置、Ｂ・・天井面、Ａ・・天吊りブラケット、１０・・第１のプレート、２０・・第２のプレート、５１・・吊りボルト、１３・１４・・弧状長穴、５４・・ナット、１７・・ボルト、２４・・張り出し部、１５・・角型リング、２３・２６・・穴部、６１・６４・・ナット
【図１】
0005527770.tif 000002
【図２】
0005527770.tif 000003
【図３】
0005527770.tif 000004
【図４】
0005527770.tif 000005
【図５】
0005527770.tif 000006
【図６】
0005527770.tif 000007
【図７】
0005527770.tif 000008
【図８】
0005527770.tif 000009
【図９】
0005527770.tif 000010
【図１０】
0005527770.tif 000011
【図１１】
0005527770.tif 000012
【図１２】
0005527770.tif 000013
【図１３】
0005527770.tif 000014
【図１４】
0005527770.tif 000015
【図１５】
0005527770.tif 000016
【図１６】
0005527770.tif 000017
【図１７】
0005527770.tif 000018
【図１８】
0005527770.tif 000019
【図１９】
0005527770.tif 000020
【図２０】
0005527770.tif 000021